(57)【要約】  【課題】  ブルートゥースによる通信を迅速に開始することができる携帯端末装置を提供する。  【解決手段】  携帯端末装置１０は、ブルートゥースによる通信を行う無線通信装置１２と赤外線による通信を行う赤外線通信装置１４とを備える。携帯端末装置１０は、ブルートゥースによる接続開始の入力を受け付ける入力装置１８にて入力された接続開始に応じて、通信相手となる端末のブルートゥースの通信条件情報を要求する要求信号を赤外線通信装置１４を通じて送信し、要求信号に応じて送信された通信条件情報を赤外線通信装置１４を通じて受信する。そして、受信した通信条件情報を用いて、無線通信装置１２による通信を行う。【選択図】  図１
2007006087.tif 000002
【特許請求の範囲】
【請求項１】
ブルートゥースによる通信を行うブルートゥースインターフェースと赤外線による通信を行う赤外線インターフェースとを備えた携帯端末装置であって、
ブルートゥースによる通信開始の入力を受け付ける通信開始入力部と、
前記通信開始入力部にて入力された通信開始に応じて、通信相手となる端末のブルートゥースの通信条件情報を要求する要求信号を赤外線インターフェースを通じて送信する要求信号送信部と、
前記要求信号に応じて送信された通信条件情報を赤外線インターフェースを通じて受信する通信条件受信部と、
前記通信条件受信部にて受信した通信条件情報を用いて、ブルートゥースによる通信を行うブルートゥース通信制御部と、
を備えたことを特徴とする携帯端末装置。
【請求項２】
前記通信条件受信部によって通信条件情報を受信したときに、通信相手の端末に印字のフォーマット情報を赤外線インターフェースを通じて送信するフォーマット情報送信部を備えたことを特徴とする請求項１に記載の携帯端末装置。
【請求項３】
ブルートゥースによる通信の通信相手となる端末に表示された製品番号を読み取る製品番号読取部と、
前記製品番号読取部にて読み取った製品番号に対応する通信条件情報を、製品番号と通信条件情報とを関連付けて記憶したデータベースから読み出す通信条件読出部と、
前記通信条件読出部にて読み出した通信条件情報を用いて、ブルートゥースによる通信を行うブルートゥース通信制御部と、
を備えたことを特徴とする携帯端末装置。
【請求項４】
前記製品番号読取部は、バーコードリーダーであることを特徴とする請求項３に記載の携帯端末装置。
【発明の詳細な説明】
【技術分野】
【０００１】
ブルートゥースによる通信を行える携帯端末装置に関する。
【背景技術】
【０００２】
ブルートゥースは工業、科学技術、医療用に免許なしで使用できるように割り当てられた２．４ＧＨｚ帯（ＩＳＭバンド）の無線周波数を使用する無線通信システムである。ブルートゥースによって通信可能な装置は、従来から多数存在する。
【０００３】
ブルートゥースによる通信について、特許文献１を参照しながら説明する。ブルートゥースによる通信を開始する際には、まず、マスターとなる通信装置が、近辺にある通信装置をスキャンするための無線信号をアンテナから出力させる。この動作をブルートゥースのプロトコルでは、「インクワイアリ」という。このスキャン動作により、無線通信回線を介して接続可能な通信装置が検出された場合には、検出された通信装置から取得したブルートゥースの通信条件情報に基づいてブルートゥース通信を行う。
【特許文献１】特開２００２−１２４９６０号公報（５頁、図５）
【発明の開示】
【発明が解決しようとする課題】
【０００４】
しかしながら、従来のブルートゥース通信装置では、インクワイアリによって近辺にある通信装置を検出するのに１０秒以上かかっていた。また、インクワイアリは、近辺にある全ての通信装置を検出するので、多くの通信装置が検出された場合には、ユーザが通信を行いたい通信装置を見つけ出すのが面倒であった。以上のような事情から、従来のブルートゥース通信装置では、迅速に通信を開始することができなかった。
【０００５】
そこで、本発明は、上記背景に鑑み、ブルートゥースによる通信を迅速に開始することができる携帯端末装置を提供することを目的とする。
【課題を解決するための手段】
【０００６】
本発明の携帯端末装置は、ブルートゥースによる通信を行うブルートゥースインターフェースと赤外線による通信を行う赤外線インターフェースとを備えた携帯端末装置であって、ブルートゥースによる通信開始の入力を受け付ける通信開始入力部と、前記通信開始入力部にて入力された通信開始に応じて、通信相手となる端末のブルートゥースの通信条件情報を要求する要求信号を赤外線インターフェースを通じて送信する要求信号送信部と、前記要求信号に応じて送信された通信条件情報を赤外線インターフェースを通じて受信する通信条件受信部と、前記通信条件受信部にて受信した通信条件情報を用いて、ブルートゥースによる通信を行うブルートゥース通信制御部とを備えた構成を有する。
【０００７】
この構成により、ブルートゥースプロトコルのインクワイアリに代えて、赤外線インターフェースによって通信相手端末の通信条件情報を取得するので、速やかに通信条件情報を取得できる。また、ユーザは、通信開始を入力するときに、携帯端末装置の赤外線発信部を通信を行いたい通信装置に向けることによって、通信相手の通信装置を容易に特定することができる。
【０００８】
また、本発明の携帯端末装置は、前記通信条件受信部によって通信条件情報を受信したときに、通信相手の端末に印字のフォーマット情報を赤外線インターフェースを通じて送信するフォーマット情報送信部を備えた構成を有する。
【０００９】
この構成により、通信相手の通信装置から印字を行う場合に、ブルートゥースの通信に先立ってフォーマット情報を送信して登録しておくことにより、ブルートゥースで印字データを送信するときのデータ量および通信手順を削減できる。これにより、印字時間が短縮され、利便性の向上を図ることができる。
【００１０】
本発明の別の態様に係る携帯端末装置は、ブルートゥースによる通信の通信相手となる端末に表示された製品番号を読み取る製品番号読取部と、前記製品番号読取部にて読み取った製品番号に対応する通信条件情報を、製品番号と通信条件情報とを関連付けて記憶したデータベースから読み出す通信条件読出部と、前記通信条件読出部にて読み出した通信条件情報を用いて、ブルートゥースによる通信を行うブルートゥース通信制御部とを備えた構成を有する。
【００１１】
この構成により、ブルートゥースプロトコルのインクワイアリに代えて、製品番号読取部で読み取った製品番号に応じて通信条件情報を取得できるので、速やかに通信条件情報を取得できる。ユーザは、携帯端末装置の製品番号読取部によって、通信を行いたい通信装置の製品番号を読み取ることによって、通信相手の通信装置を容易に特定することができる。
【００１２】
また、本発明の携帯端末装置は、前記製品番号読取部として、バーコードリーダーを用いる。
【００１３】
この構成により、製品番号を読み取る仕組みを容易に実現できる。
【発明の効果】
【００１４】
本発明によれば、赤外線インターフェースによって速やかに通信条件情報を取得できると共に、通信相手の通信装置を容易に特定可能とすることで、ブルートゥースによる通信を速やかに開始できるというすぐれた効果を有する。
【発明を実施するための最良の形態】
【００１５】
以下、本発明の実施の形態に係る携帯端末装置について、図面を用いて説明する。本実施の形態では、ブルートゥースによる通信によって携帯端末装置から携帯プリンタに印字データを送信し、携帯プリンタにて印字データを印字する例について説明する。
【００１６】
（第１の実施の形態）
図１は、第１の実施の形態の携帯端末装置１０と、携帯端末装置１０からの指示により印字を行う携帯プリンタ３０の構成を示す図である。
【００１７】
携帯端末装置１０は、ブルートゥースによる通信を行うための無線通信装置１２と、赤外線通信を行う赤外線通信装置１４と、携帯端末装置１０を制御するＣＰＵ１６とを備えている。また、携帯端末装置１０は、ユーザからの入力を受け付ける入力装置１８と、ユーザへの情報の出力を行う出力装置２０と、メモリ２２とを備えている。メモリ２２には、携帯端末装置１０を制御するためのプログラムが記憶されている他、ブルートゥースの通信条件の情報等が記憶されている。
【００１８】
図２は、メモリ２２に記憶されたブルートゥースの通信条件情報の例を示す図である。この例では、ブルートゥースの通信条件情報には、ブルートゥースデバイスアドレス（ＢＤアドレス）と、Personal Identification Number（ＰＩＮコード）と、Remote Host Nameと、機器シリアルＮｏとが含まれている。なお、通信条件情報に、上記した情報以外の情報を含めてもよい。
【００１９】
携帯プリンタ３０は、ブルートゥースによる通信を行うための無線通信装置３２と、赤外線通信を行う赤外線通信装置３４と、携帯プリンタ３０を制御するＣＰＵ３６とを備えている。また、携帯プリンタ３０は、ユーザからの入力を受け付ける入力装置３８と、携帯端末装置１０等の他の装置から送信されたデータを印字する出力装置４０と、メモリ４２とを備えている。メモリ４２には、携帯プリンタ３０を制御するためのプログラムが記憶されている他、ブルートゥースの通信条件の情報等が記憶されている。
【００２０】
次に、上記した構成を有する携帯端末装置１０および携帯プリンタ３０の動作について説明する。携帯端末装置１０の印字データをブルートゥース通信によって携帯プリンタ３０に送信し、携帯プリンタ３０にて印字する例について説明する。
【００２１】
図３は、ブルートゥースによる通信を開始する前までの携帯端末装置１０および携帯プリンタ３０の動作を示す図である。まず、携帯端末装置１０は、携帯プリンタ３０とのペアリングを開始する（Ｓ１０）。ペアリングは、ユーザからのペアリング開始の入力が、携帯端末装置１０の入力装置１８に入力されることによって開始される。ユーザは、ペアリングの開始の入力をするときに、携帯端末装置１０の赤外線発信部を携帯プリンタ３０の方向に向けておく。
【００２２】
携帯端末装置１０は、ペアリングの開始の入力を受けて、赤外線通信装置１４より赤外線通信規格の接続要求を送信する（Ｓ１２）。携帯プリンタ３０は、赤外線通信の接続要求を受信すると（Ｓ１４）、赤外線通信の接続確認を携帯端末装置１０に対して送信する（Ｓ１６）。携帯端末装置１０は、携帯プリンタ３０から送信された赤外線通信の接続確認を受信する（Ｓ１８）。
【００２３】
続いて、携帯端末装置１０は、携帯プリンタ３０のブルートゥースの通信条件を問い合わせるブルートゥース通信条件要求を赤外線通信装置１４から送信する（Ｓ２０）。携帯プリンタ３０は、携帯端末装置１０から送信されたブルートゥース通信条件要求を受信すると（Ｓ２２）、ブルートゥースの通信条件をメモリ４２から読み出す（Ｓ２４）。そして、携帯プリンタ３０は、読み出した通信条件の情報を、赤外線通信装置３４から携帯端末装置１０に送信する（Ｓ２６）。携帯端末装置１０は、通信条件の情報を受信すると（Ｓ２８）、受信したブルートゥースの通信条件の情報をメモリ２２に記憶する（Ｓ３０）。
【００２４】
携帯端末装置１０は、携帯プリンタ３０のブルートゥースの通信条件情報を記憶した後、赤外線通信を終了するため、赤外線通信切断要求を携帯プリンタ３０に送信する（Ｓ３２）。携帯プリンタ３０は、携帯端末装置１０より送信された赤外線通信切断要求を受信すると（Ｓ３４）、赤外線通信切断確認を携帯端末装置１０に送信する（Ｓ３６）。携帯端末装置１０は、携帯プリンタ３０より送信された赤外線通信切断確認を受信し（Ｓ３８）、赤外線通信を終了する。
【００２５】
以上の動作によって、携帯プリンタ３０とのブルートゥースによる通信に先立って、携帯端末装置１０は、携帯プリンタ３０のブルートゥースの通信条件情報を取得して、メモリ２２に記憶する。
【００２６】
図４は、図３に示す動作の後、携帯端末装置１０からの指示によって携帯プリンタ３０が印字を行う動作を示す図である。携帯端末装置１０は、携帯プリンタ３０への印字を開始する（Ｓ４０）。ここで、印字の開始は、図３に示すフローで赤外線通信切断確認を受信したステップＳ３８の後に続けて自動的に行ってもよいし、ユーザからの指示を待って開始してもよい。図３に示すフローに続いて自動的に印字を開始する場合には、予め印字するデータを指定しておくことが好ましい。ユーザの指示を待って印字を開始する場合には、このステップにおいて、印字データの指定を受け付けることが可能である。
【００２７】
携帯プリンタ３０への印字が開始されると、携帯端末装置１０は、メモリ２２に記憶された携帯プリンタ３０のブルートゥースの通信条件情報を読み出す（Ｓ４２）。そして、携帯端末装置１０は、読み出したブルートゥースの通信条件を用いて、ブルートゥースの接続要求を携帯プリンタ３０に送信する（Ｓ４４）。携帯プリンタ３０は、携帯端末装置１０から送信されたブルートゥースの接続要求を受信すると（Ｓ４６）、ブルートゥースの接続確認を携帯端末装置１０に対して送信する（Ｓ４８）。携帯端末装置１０は、携帯プリンタ３０から送信されたブルートゥースの接続確認を受信すると（Ｓ５０）、印字データを携帯プリンタ３０に送信する（Ｓ５２）。
【００２８】
携帯プリンタ３０は、携帯端末装置１０から送信された印字データを受信すると（Ｓ５４）、受信した印字データの印刷処理を行う（Ｓ５６）。ここでは、携帯プリンタ３０に予め登録されているフォーマットに印字データをあてはめて、印字出力する。印字処理が終了すると、携帯プリンタ３０は、印字結果を携帯端末装置１０に送信する（Ｓ５８）。携帯端末装置１０は、携帯プリンタ３０から送信された印字結果を受信すると（Ｓ６０）、ブルートゥース通信を切断するためのブルートゥース切断要求を携帯プリンタ３０に送信する（Ｓ６２）。携帯プリンタ３０は、ブルートゥース切断要求を受信すると（Ｓ６４）、ブルートゥース切断確認を携帯端末装置１０に送信する（Ｓ６６）。
【００２９】
携帯端末装置１０は、ブルートゥース切断確認を受信すると（Ｓ６８）、ブルートゥースでの通信を終了する。以上、第１の実施の形態の携帯端末装置１０の構成および動作について説明した。
【００３０】
第１の実施の形態の携帯端末装置１０は、ブルートゥースの通信条件の情報を赤外線通信によって取得するので、処理時間を要するインクワイアリを行わずに、ブルートゥースの通信を開始できる。これにより、ブルートゥースによる通信を速やかに開始することが可能となる。
【００３１】
また、第１の実施の形態の携帯端末装置１０は、ユーザが印字データを出力させたい携帯プリンタ３０に赤外線通信装置１４を向けて通信開始することにより、携帯プリンタ３０の通信条件を取得する。これにより、近辺に複数の通信装置が存在する場合にも、通信相手となる通信装置を容易に特定でき、携帯プリンタ３０の通信条件を容易に取得することができる。
【００３２】
（第２の実施の形態）
次に、本発明の第２の実施の形態の携帯端末装置１０について説明する。第２の実施の形態の携帯端末装置１０は、第１の実施の形態の携帯端末装置１０と基本的な構成は同じであるが、第２の実施の形態では、赤外線通信によってブルートゥースの通信条件の情報を受信した後に、携帯端末装置１０から携帯プリンタ３０へ印字のフォーマット情報を赤外線通信によって送信する点が異なる。
【００３３】
図５は、ブルートゥースの通信情報を受信してメモリ２２に記憶するステップＳ３０（図３参照）の後の携帯端末装置１０および携帯プリンタ３０の動作を示す図である。
【００３４】
図５に示すように、通信条件の情報を記憶した後、携帯端末装置１０は、携帯プリンタ３０が有するフォーマット情報のバージョンを問い合わせるバージョン要求を送信する（Ｓ７０）。携帯プリンタ３０は、携帯端末装置１０から送信されたバージョン要求を受信すると（Ｓ７２）、メモリ２２からフォーマットのバージョン情報を読み出し（Ｓ７４）、読み出したバージョン情報を携帯端末装置１０に送信する（Ｓ７６）。
【００３５】
携帯端末装置１０は、携帯プリンタ３０から送信されたフォーマットのバージョン情報を受信すると（Ｓ７８）、携帯プリンタ３０の印字のフォーマットのバージョン情報と、携帯端末装置１０が持つバージョン情報とが同じであるか否かを判定する（Ｓ８０）。この判定により、バージョン情報が同じであると判定された場合には（Ｓ８０でＹＥＳ）、赤外線通信切断要求を送信し（Ｓ３２）、赤外線通信を終了する。赤外線通信切断要求を送信した後の動作は、第１の実施の形態の場合と同じである。
【００３６】
携帯プリンタ３０のバージョン情報が、携帯端末装置１０のバージョン情報と異なる場合には（Ｓ８０でＮＯ）、携帯端末装置１０は、印字のフォーマット情報を携帯プリンタ３０に送信する（Ｓ８２）。携帯プリンタ３０は、携帯端末装置１０から送信されたフォーマット情報を受信すると（Ｓ８４）、受信したフォーマット情報をメモリ４２に記憶し（Ｓ８６）、フォーマット情報の記憶完了を携帯端末装置１０に送信する（Ｓ８８）。携帯端末装置１０は、フォーマット情報の記憶完了を受信すると（Ｓ９０）、赤外線通信切断要求を送信し（Ｓ３２）、赤外線通信を終了する。以上、第２の実施の形態の携帯端末装置１０の動作について説明した。
【００３７】
第２の実施の形態の携帯端末装置１０は、赤外線通信により、印字のフォーマット情報を携帯プリンタ３０に送信して記憶させるので、ブルートゥースで印字データを送信するときのデータ量および通信手順を削減できる。これにより、印字時間が短縮され、利便性の向上を図ることができる。
【００３８】
また、第２の実施の形態の携帯端末装置１０は、フォーマット情報のバージョンを携帯プリンタ３０に問い合わせ、バージョン情報が異なる場合にのみフォーマット情報を送信するので、携帯プリンタ３０が既に有するフォーマット情報を送信することがない。
【００３９】
また、第２の実施の形態の携帯端末装置１０は、第１の実施の形態の携帯端末装置１０と同様に、速やかにブルートゥースの通信を開始できるという効果を有する。
【００４０】
（第３の実施の形態）
図６は、第３の実施の形態の携帯端末装置１０および携帯プリンタ３０の構成を示す図である。第３の実施の形態の携帯端末装置１０は、第１の実施の形態の携帯端末装置１０と基本的な構成は同じであるが、赤外線通信装置１４に代えて、バーコードリーダ２４を有する点が異なる。また、携帯端末装置１０のメモリ２２には、通信装置のシリアル番号とブルートゥースデバイスアドレスとを関連付けてデータが記憶されている。
【００４１】
図７は、メモリ２２に記憶されたデータの例を示す図である。このデータによって、シリアル番号に対応するブルートゥースデバイスアドレスを特定することが可能である。
【００４２】
一方、第３の実施の形態の携帯プリンタ３０は、赤外線通信装置３４を有していない点を除いて、第１の実施の形態の携帯プリンタ３０と基本的な構成は同じである。第３の実施の形態の携帯プリンタ３０には、装置の外部にシリアルバーコード４４が貼付されている。シリアルバーコード４４は、製品番号を示すバーコードである。
【００４３】
次に、第３の実施の形態の携帯端末装置１０および携帯プリンタ３０の動作について説明する。
【００４４】
図８は、ブルートゥースによる通信を開始する前までの携帯端末装置１０および携帯プリンタ３０の動作を示す図である。まず、携帯端末装置１０は、携帯プリンタ３０とのペアリングを開始する（Ｓ１００）。ペアリングは、ユーザからのペアリング開始の入力が、携帯端末装置１０の入力装置１８に入力されることによって開始される。ペアリングの開始が入力されると、携帯端末装置１０のバーコードリーダ２４が発光する（Ｓ１０２）。
【００４５】
ユーザがバーコードリーダ２４をシリアルバーコード４４にかざすと、携帯端末装置１０はシリアルバーコード４４を読み取る（Ｓ１０４）。続いて、携帯端末装置１０は、読み取ったシリアルバーコード４４によって、携帯プリンタ３０のシリアル番号を特定し、携帯プリンタ３０のシリアル番号に対応するブルートゥースデバイスアドレスの情報をメモリ２２から読み出す（Ｓ１０６）。そして、携帯端末装置１０は、読み出したブルートゥースデバイスアドレスを、携帯プリンタ３０の通信条件情報としてメモリ２２に記憶する（Ｓ１０８）。
【００４６】
以上の動作によって、携帯端末装置１０は、携帯プリンタ３０とのブルートゥース通信に先立って、携帯プリンタ３０のブルートゥースの通信条件情報を取得して、メモリ２２に記憶する。この後、メモリ２２に記憶した通信条件情報を用いてブルートゥースによる通信を行う動作は、第１の実施の形態で説明した動作と同じである（図４参照）。
【００４７】
第３の実施の形態の携帯端末装置１０は、バーコードリーダ２４によって携帯プリンタ３０のシリアル番号を読み取り、読み取ったシリアル番号からブルートゥースの通信条件の情報を取得するので、処理時間を要するインクワイアリを行わずに、ブルートゥースの通信を開始できる。これにより、ブルートゥースによる通信を速やかに開始することが可能となる。
【００４８】
また、第３の実施の形態の携帯端末装置１０は、ユーザが印字データを出力させたい携帯プリンタ３０のシリアルバーコード４４を読み取ることにより、携帯プリンタ３０の通信条件を取得できる。これにより、近辺に複数の通信装置が存在する場合にも、携帯プリンタ３０の通信条件を容易に取得することができる。
【００４９】
以上、本発明の携帯端末装置について、実施の形態を挙げて詳細に説明したが、本発明は上記した実施の形態に限定されるものでない。
【００５０】
上記した第１の実施の形態では赤外線通信装置１４を備える携帯端末装置１０の例、第３の実施の形態ではバーコードリーダ２４を備える携帯端末装置１０の例について説明したが、携帯端末装置１０は赤外線通信装置１４とバーコードリーダ２４の両方を備えてもよい。これにより、ユーザは、赤外線通信装置１４とバーコードリーダ２４のいずれを用いて通信条件を取得するか選択することが可能となる。
【産業上の利用可能性】
【００５１】
以上説明したように、本発明によれば、ブルートゥースによる通信を速やかに開始できるというすぐれた効果を有し、ブルートゥースによる通信によってプリンタに印字データを送信する携帯端末装置等として有用である。
【図面の簡単な説明】
【００５２】
【図１】第１の実施の形態の携帯端末装置および携帯プリンタの構成を示す図
【図２】メモリに記憶された通信条件情報の例を示す図
【図３】第１の実施の形態の携帯端末装置および携帯プリンタの動作を示す図
【図４】第１の実施の形態の携帯端末装置および携帯プリンタの動作を示す図
【図５】第２の実施の形態の携帯端末装置および携帯プリンタの動作を示す図
【図６】第３の実施の携帯の携帯端末装置および携帯プリンタの構成を示す図
【図７】メモリに記憶されたデータの例を示す図
【図８】第３の実施の形態の携帯端末装置の動作を示す図
【符号の説明】
【００５３】
１０  携帯端末装置
１２  無線通信装置
１４  赤外線通信装置
１６  ＣＰＵ
１８  入力装置
２０  出力装置
２２  メモリ
２４  バーコードリーダ
３０  携帯プリンタ
３２  無線通信装置
３４  赤外線通信装置
３６  ＣＰＵ
３８  入力装置
４０  出力装置
４２  メモリ
４４  シリアルバーコード
【図１】
2007006087.tif 000003
【図２】
2007006087.tif 000004
【図３】
2007006087.tif 000005
【図４】
2007006087.tif 000006
【図５】
2007006087.tif 000007
【図６】
2007006087.tif 000008
【図７】
2007006087.tif 000009
【図８】
2007006087.tif 000010